(57)【要約】【課題】ロール式網戸を閉めたときに網体の中央部に弛みが発生するのを防止することができる開口部装置を提供する。【解決手段】建物の開口に設けられる枠体２と、該枠体２内に開閉自在に設けられた障子３ａ，３ｂと、前記枠体２に設けられるロール式網戸６とを備え、前記ロール式網戸６は、網体７を巻取って収納する収納部８と、網体７の先端部を保持し網体７を収納部７から引き出し入れして網戸６の開閉を行う可動框９と、該可動框９の両端部を摺動自在に案内する案内部１０とを有し、前記網体７の先端部に芯材（抜け止め材）２９を設け、前記可動框９に前記芯材２９を直接又は間接的に撓み可能に保持する保持部３２を設けると共に、芯材２９の中央部の弛みを規制する規制部材３７を設けた。【選択図】　　　　　図６
2004092059.tif 000002
【特許請求の範囲】
【請求項１】
ロール式網戸からなる開口部装置であって、前記ロール式網戸は、網体を巻取って収納する収納部と、網体の先端部を保持し網体を収納部から引き出し入れして網戸の開閉を行う可動框と、該可動框の両端部を摺動自在に案内する案内部とを有し、前記網体の先端部に抜け止め材を設け、前記可動框に前記抜け止め材を撓み可能に直接又は間接的に保持する保持部を設けると共に、抜け止め材の中央部の弛みを規制する規制部材を設けたことを特徴とする開口部装置。
【請求項２】
建物の開口に設けられる枠体と、該枠体内に開閉自在に設けられた障子と、前記枠体に設けられるロール式網戸とを備え、前記ロール式網戸は、網体を巻取って収納する収納部と、網体の先端部を保持し網体を収納部から引き出し入れして網戸の開閉を行う可動框と、該可動框の両端部を摺動自在に案内する案内部とを有し、前記網体の先端部に抜け止め材を設け、前記可動框に前記抜け止め材を撓み可能に直接又は間接的に保持する保持部を設けると共に、抜け止め材の中央部の弛みを規制する規制部材を設けたことを特徴とする開口部装置。
【発明の詳細な説明】
【０００１】
【発明の属する技術分野】
本発明は、開口部装置に係り、特に網体の中央部が弛まないようにロール式網戸の可動框における網体の保持構造を改良した開口部装置に関する。
【０００２】
【従来の技術】
開口部装置としては、建物の開口に設けられる枠体と、この枠体内に開閉自在に設けられた障子と、前記枠体に設けられるロール式網戸とを備えたものが知られている（例えば、特公昭５２−１５０８９号公報参照）。前記ロール式網戸は、網体を巻取って収納する収納部と、網体の先端部を保持し網体を収納部から引き出し入れして網戸の開閉を行う可動框と、この可動框の両端部を摺動自在に案内する案内部とを有している。
【０００３】
【発明が解決しようとする課題】
ところで、従来の開口部装置においては、ロール式網戸の網体を可動框により収納部から引出して網戸を閉めた状態にしたときに、網体の中央部に弛みが発生するという問題があった。この弛みの発生原因としては、第１に、網体の両側縁部にほつれ防止等のための縫製部等の厚み部がある場合、巻取軸上の網体の巻径が中央部よりも両側部の方が太くなり、網体の中央部の張力が両側部の張力よりも小さくなる場合があること、第２に、両端支持されている巻取軸に網体を引き出したときに張力がかかる場合、巻取軸の中央部が撓む場合があること、第３に、可動框の両端部に可動框を任意の位置で固定する停止機構がある場合、網体の張力で戸先框の中央部が撓む場合があることが考えられる。なお、巻取軸の撓みについては、巻取軸自体を平行移動させて収納部の内面に押し当てることにより撓みを抑制するという方法が既存の技術として確立している。
【０００４】
本発明は、前記事情を考慮してなされたもので、ロール式網戸を閉めたときに網体の中央部に弛みが発生するのを防止することができる開口部装置を提供することを目的とする。
【０００５】
【課題を解決するための手段】
本発明のうち、請求項１の発明は、ロール式網戸からなる開口部装置であって、前記ロール式網戸は、網体を巻取って収納する収納部と、網体の先端部を保持し網体を収納部から引き出し入れして網戸の開閉を行う可動框と、該可動框の両端部を摺動自在に案内する案内部とを有し、前記網体の先端部に抜け止め材を設け、前記可動框に前記抜け止め材を撓み可能に直接又は間接的に保持する保持部を設けると共に、抜け止め材の中央部の弛みを規制する規制部材を設けたことを特徴とする。
【０００６】
請求項２の発明は、建物の開口に設けられる枠体と、該枠体内に開閉自在に設けられた障子と、前記枠体に設けられるロール式網戸とを備え、前記ロール式網戸は、網体を巻取って収納する収納部と、網体の先端部を保持し網体を収納部から引き出し入れして網戸の開閉を行う可動框と、該可動框の両端部を摺動自在に案内する案内部とを有し、前記網体の先端部に抜け止め材を設け、前記可動框に前記抜け止め材を撓み可能に直接又は間接的に保持する保持部を設けると共に、抜け止め材の中央部の弛みを規制する規制部材を設けたことを特徴とする。
【０００７】
【発明の実施の形態】
以下に、本発明の実施の形態を添付図面に基いて詳述する。図１は本発明の実施の形態を示す開口部装置の縦断面図、図２は同開口部装置の横断面図、図３はロール式網戸の使用状態を示す横断面図、図４は網体を概略的に示す図で、（ａ）は正面図、（ｂ）は（ａ）のＡ−Ａ線断面図、（ｃ）は（ａ）のＢ−Ｂ線断面図、図５は可動框の一例を示す斜視図、図６は可動框における網体の保持構造を示す図で、（ａ）は概略的正面図、（ｂ）は（ａ）のＣ−Ｃ線断面図、（ｃ）は（ａ）のＤ−Ｄ線断面図である。
【０００８】
図１、図２ないし図３に示すように、開口部装置１は、建物の開口に設けられるサッシ枠である枠体２と、この枠体２内に開閉自在に設けられた障子３ａ，３ｂと、前記枠体２に設けられるロール式網戸６とを備えている。前記枠体２は、例えばアルミ押出形材からなる上枠２ａ、下枠２ｂ及び左右の縦枠２ｃ，２ｄからなっている。図示例の開口部装置１は引違い窓として構成されており、枠体２内に内外の障子３ａ，３ｂが横方向に引違い状に開閉自在に設けられている。障子３ａ，３ｂは、例えばアルミ押出形材からなる上框４ａ、下框４ｂ及び左右の縦框４ｃ，４ｄからなる框体４内にガラスパネル５を装着してなる。
【０００９】
前記ロール式網戸６は、網体７を巻取って収納する収納部８と、その網体７の先端部を保持し網体７を収納部８から引き出し入れして網戸６の開閉を行う可動框（戸先框ともいう）９と、この可動框９の両端部を摺動自在に案内する案内部１０，１０とを有している。前記収納部８内には網体７を巻取る巻取部である巻取軸１１が回転自在に設けられ、この巻取軸１１が網体７を巻取る方向に付勢手段である図示しないばねにより付勢されている。
【００１０】
図示例の開口部装置１は枠体２の左右にロール式網戸６，６を備えている。左側のロール式網戸６は図３に示すように開状態にある外障子３ｂの戸先框４ｄの室内面に取付けた戸先補助框１２との間を網体７で覆うようになっており、右側のロール式網戸６は開状態の内障子３ａの戸先框４ｄとの間を網体７で覆うようになっている。左側のロール式網戸６の可動框９には外障子３ｂの戸先補助框１２との間を塞いで虫の侵入を防止するヒレ状の第１の虫除け部材１３ａ及び上枠２ａ、下枠２ｂとの間を塞いで虫の侵入を防止するヒレ状の第２の虫除け部材１３ｂが設けられている。右側のロール式網戸６の可動框９には内障子３ａの戸先框４ｄとの間を塞いで虫の侵入を防止するヒレ状の第１の虫除け部材１３ａ及び上枠２ａ、下枠２ｂとの間を塞いで虫の侵入を防止するヒレ状の第２の虫除け部材１３ｂが設けられている。なお、虫除け部材１３ａ，１３ｂはモヘアからなっていても良い。
【００１１】
図示例では、収納部８は左右の縦枠２ｃ，２ｄの室内側にそれぞれ別体で設けられ、案内部１０は上枠２ａ及び下枠２ｂの室内側にそれぞれ別体で設けられている。具体的には、サッシ枠である枠体２の室内面にロール式網戸６の枠体１４が固着具であるネジ１５で着脱自在に取付けられている。このロール式網戸６の枠体１４は、例えばアルミ押出形材からなる上枠材１４ａ、下枠材１４ｂ及び左右の縦枠材１４ｃ，１４ｄからなり、上枠材１４ａと下枠材１４ｂは上枠２ａと下枠２ｂの室外面に取付けられ、左右の縦枠材１４ｃ，１４ｄは左右の縦枠２ｃ，２ｄの室内面に取付けられている。
【００１２】
そして、左右の縦枠材１４ｃ，１４ｄに収納部８，８がそれぞれ設けられ、上枠材１４ａと下枠材１４ｂに左右の可動框９，９に共通の案内部１０，１０が設けられている。上枠材１４ａと下枠材１４ｂの対向面には、長手方向（左右方向）に沿って案内部１０としてのガイド溝１６が設けられており、可動框９の上下端部には、図１ないし図５に示すように、ガイド溝１６に沿って摺動するガイド片部１７が設けられている。
【００１３】
前記虫除け部材１３ａ，１３ｂの突出長さを短くするために、前記ガイド溝１６はサッシ枠である枠体２側に近付けて配置されていることが好ましい。また、可動框９の上下両端部には、第２の虫除け部材１３ｂが枠体２例えば上枠２ａ，下枠２ｂに接触しないように規制するためにガイド溝１６の溝縁部１６ａに沿って摺動自在に係合した環状溝部を有する規制部材１８が配置されていることが好ましい。具体的には、後述の回転軸２５の両端部に規制部材が１８が連結され、ここの規制部材１８の先端部に歯車が２２が設けられている。前記収納部８には網体７を引き出すための引出口部１９が設けられているが、この引出口部１９はガイド溝１６の位置に位置されていることが好ましい。また、縦枠材１４ｃ，１４ｄには可動框９の一部を収容する収容部２０が設けられていることが好ましい。
【００１４】
前記収納部８から網体７を引き出しながら移動操作される可動框９を障子３ａ，３ｂの戸先框４ｄと対応する任意の位置に固定する手段として、図示例では歯車式の停止機構２１が設けられている。この停止機構２１は、可動框９の上下端部に回動自在に設けられた歯車２２と、上枠材１４ａ及び下枠材１４ｂに前記歯車２２が噛合するように長手方向に沿って設けられたラック２３とを有している。
【００１５】
前記上下の歯車２２，２２は前記規制部材１８の端部に配置され、上下の歯車２２，２２は可動框９内に設けられた例えば断面Ｃ字状の軸受２４に回転自在に支持された回転軸２５の上端部と下端部に取付固定されている。可動框９には手掛け部２６が設けられ、この手掛け部２６には回転軸２５を回転しないようにロックしたりロックを解除するための図示しないロック機構及びその操作部２７が設けられている。なお、可動框９を任意の位置に固定する手段としては、歯車式に限定されず、例えば摩擦部材を上枠材及び下枠材に押し付けて制動固定する摩擦式等であっても良い。
【００１６】
前記網体７の先端部を可動框９に固定する手段として、図４の（ａ）ないし（ｂ）に示すように網体７の先端部には袋部２８が形成され、この袋部２８に可撓性を有する芯材（抜け止め材）２９が挿入されてこれが前記可動框９に固定されている。具体的には、網体７の先端部は、補強のために折り返されて縫製糸３０ａにより図の上下方向に連通した袋状に縫製されており、この袋部２８を利用して芯材２９が挿入されている。芯材２９は、例えばアルミパイプからなっているが、ある程度の剛性を有する棒状であれば材質は問わない。また、前記網体７の両側縁部（図では上下縁部）は、ガイド溝１６から抜けるのを防止するために図４の（ａ）ないし（ｃ）に示すように折り返されて縫製糸３０ｂにより長手方向（図では左右方向）に連通した袋状に縫製され、袋部３１，３１が形成されている。図１ないし図５に示すように上枠材１４ａ及び下枠材１４ｂのガイド溝１６内には抜け止めガイド棒４０がガイド溝１６内の略中央部から両縦枠材１４ｃ，１４ｄ近傍に向って片持ち梁状に設けられ、収納部８から網体７を引き出してロール式網戸６を閉める時に網体７の両側部の袋部３１，３１に抜け止めガイド棒４０，４０に挿通されるようになっている。
【００１７】
前記網体７には先端部に袋部２８が形成された後、両側縁部に抜け止め用の袋部３１，３１が形成されている。なお、前記芯材２９は、網体７の先端部に袋部２８を形成してから該袋部２８に挿入することが好ましいが、網体７の両側縁部に袋部３１，３１を形成してから先端の袋部２８にその一部を破って芯材２９を挿入するようにしても良く、挿入時期や挿入方法を問わない。
【００１８】
ロール式網戸を閉めたときに網体の中央部に弛みが発生するのを防止するために、前記可動框９には、図６の（ａ），（ｂ）ないし（ｃ）に示すように前記芯材２９を網体７の引張方向Ｘに撓み可能（撓み変形可能）に保持する保持部３２が設けられていると共に、芯材２９の中央部の弛みを規制する規制部材３７が設けられている。この場合、保持部３２は可動框９内に例えば断面略横長Ｃ字状に形成されており、この保持部３２内に芯材２９が撓み可能に直接保持されている。網体７は保持部３２の開口スリット（断面略横長Ｃ字状の開口部分）３２ａから引き出されている。
【００１９】
前記規制部材３７は前記保持部３２内の長手方向中央部における開口スリット３２ａ側に挿入され、芯材２９の長手方向中央部が網体７の引張方向Ｘに撓まないように芯材２９の中央部を網体７の引張方向Ｘとは逆の方向に押え付けて規制している。規制部材３７は例えば図６の（ｃ）に示すように網体７を挟んで配置される一対のブロック片からなり、材質は問わない。これにより、ロール式網戸６を閉めたときに、芯材２９の上下両端部が網体７の張力によって網体７の引張方向Ｘへ撓むが、芯材２９の中央部は撓まないので、網体７の中央部を強制的に引張っている状態となり、たとえ両端支持の可動框９の中央部が撓んだとしても網体７の中央部に弛みが発生するのを防止することができる。
【００２０】
網体７の先端部が上下方向に弛んで網体７の先端側に部分的に皺が寄るのを防止するために、網体７の先端側両端部（図示例では上下両端部）が前記可動框９の両端部（同、上下両端部）に固定されていることが好ましい。この場合、可動框９の両端部には網体７の先端側両端部を固定する固定部３３が設けられる。この固定部３３は一対の挟持片３４ａ，３４ｂを有している。挟持片３４ａ，３４ｂの対向面には網体７の滑り止めのために互いに係合する凹凸部３５が形成されていることが好ましい。
【００２１】
前記可動框９の一側部（後部側）は網体７の先端部を引き入れて保持部３２に保持するために断面略Ｕ字状に開口形成されており、両挟持片３４ａ，３４ｂの一部がその可動框９内に端部から挿入される。この場合、一方の挟持片３４ａが可動框９の端部に予め固定されており、この一方の挟持片３４ａに対して他方の挟持片３４ｂをネジ３６で固定するようになっていることが好ましい。また、網体７はその上下両端部を固定する場合、ピンと張った状態で固定することが好ましい。網体７の両端部を可動框９の両端部に固定部３３で固定する場合には、芯材２９の両端部の自由な撓み変形が阻害されるため、予め芯材２９の両端部を網体７の引張方向Ｘに撓ませた状態にしておく必要がある。。
【００２２】
以上の構成からなる開口部装置１によれば、建物の開口に設けられる枠体２と、該枠体２内に開閉自在に設けられた障子３ａ，３ｂと、前記枠体２に設けられるロール式網戸６とを備え、前記ロール式網戸６は、網体７を巻取って収納する収納部８と、網体７の先端部を保持し網体７を収納部７から引き出し入れして網戸６の開閉を行う可動框９と、該可動框９の両端部を摺動自在に案内する案内部１０とを有し、前記網体７の先端部に芯材（抜け止め材）２９を設け、前記可動框９に前記芯材２９を撓み可能に保持する保持部３２を設けると共に、芯材２９の中央部の弛みを規制する規制部材３７を設けているため、ロール式網戸６を閉めたときに網体７の中央部に弛みが発生するのを抑制ないし防止することができる。
【００２３】
すなわち、ロール式網戸６を閉めたときに、芯材２９の上下両端部が網体７の張力によって網体７の引張方向Ｘへ撓むが、芯材２９の中央部は撓まないので、網体７の中央部を強制的に引張っている状態となり、例えば両端支持の可動框９の中央部が網体７の引張方向Ｘに撓む等の網体７の中央部に弛みが発生する原因があったとしても、網体７の中央部に弛みが発生するのを抑制ないし防止することができる。
【００２４】
ロール式網戸６としては、網体７の上下側縁部を袋状に縫ってその袋部３１内に棒状の抜け止めガイド棒４０を挿入して網体７の上下側縁部が上枠材１４ａや下枠材１４ｂから抜け出ないようにしている方式の網戸があるが、本実施例における網体７の固定構造は、この方式の網戸に対して非常にメリットがある。この方式の網戸の場合、網戸の開閉時に網体の先端部が常に抜け止めガイド棒に擦れて動くので、網体のほつれや破れ防止のために網体の先端部を折り返すことで補強している。本発明では、この網体７の先端部の折り返し時にできた袋部２８を利用してこれに抜け止め材である芯材２９を挿入し、これを可動框９の固定部３２に固定するようにしているため、網体の先端部に抜け止め材を固定する工数を削減することができ、組立性の向上及びコストの低減が図れる。
【００２５】
また、前記網体７の先端側両端部を前記可動框９の両端部に固定したので、網体７に部分的に皺が寄ることがなく、品質の均一化が図れる。二分割した可動框間に両面テープを介して網体の先端部を挟んでネジ止めにより固定する方式や、抜け止め材を網体の先端部にホッチキスで固定してこれを可動框に固定する方式では、作業時に網体が部分的に引張られたりして、皺が寄り易いが、本実施例では網体７の先端部の袋部２８に芯材２９を挿入しているだけで、芯材２９に網体７を固定しておらず、網体７の先端側両端部だけを可動框９の両端部に固定しているので、作業によって部分的に皺が寄るようなことが少なく、作業によるばらつきがなく、全体的に均一なテンションを与えることができ、品質の均一化ないし向上が図れる。また、網体７の先端部を芯材２９を介して可動框９に固定すると共に、網体７の先端側両端部を可動框９の両端部に固定しているため、網体７先端部の保持強度の向上が図れる。
【００２６】
図７は可動框における網体の保持構造の他の例を示す図で、（ａ）は両端部の断面図、（ｂ）は中央部の断面図である。本実施例では、網体７の先端部に芯材（抜け止め材）２９が設けられ、この芯材２９が保持材３８に保持され、可動框９には芯材２９を保持材３８を介して撓み可能（撓み変形可能）に間接的に保持する保持部３２が設けられている。前記保持材３８は断面略Ｕ字状に形成され、その内奥部に芯材を嵌合固定する断面略Ｃ字状の嵌合固定部３８ａが形成されている。保持材３８は、可撓性を有し、芯材２９と一緒に撓み可能になっている。
【００２７】
前記保持部３２は、保持材３８を撓み可能に保持する断面略Ｕ字状に形成され、その両側端縁部に前記保持材３８の両側縁部を係止する係止部３２ｂが形成されている。可動框９の中央部には芯材２９の中央部の弛みを規制する規制部材３７が設けられている。この規制部材３７は前記保持部３２内の長手方向中央部における係止部３２ｂと保持材３８の両側縁部との間に介設され、芯材２９の長手方向中央部が網体７の引張方向Ｘに撓まないように芯材２９の中央部を網体７の引張方向Ｘとは逆の方向に押え付けて規制している。本実施によっても、前記実施例と同様の効果が得られる。
【００２８】
図８は可動框における網体の保持構造の他の例を示す図で、（ａ）は両端部の断面図、（ｂ）は中央部の断面図である。本実施例では、網体７の先端部に抜け止め材２９が設けられ、この抜け止め材２９が保持材３８に保持され、可動框９には抜け止め材２９を保持材３８を介して撓み可能（撓み変形可能）に間接的に保持する保持部３２が設けられている。前記抜け止め材２９は、網体７の先端部（先端縁部）を挟持する一対の抜け止め片２９ａ，２９ｂと、両抜け止め片２９ａ，２９ｂを締結するネジ２９ｃとから主に構成されている。前記保持材３８は、抜け止め材２９を嵌合固定する断面略Ｃ字状の嵌合固定部３８ａと、この嵌合固定部３８ａの背面部に設けられた断面Ｌ字状の一対の脚部３８ｂとを有している。保持材３８は、可撓性を有し、芯材２９と一緒に撓み可能になっている。
【００２９】
前記保持部３２は、保持材３８の脚部３８ｂを撓み可能ないし摺動可能に保持する断面略Ｕ字状に形成されていると共に、その両側端縁部に前記保持材３８の脚部３８ｂを係止する係止部３２ｂが形成されている。可動框９の中央部には抜け止め材２９の中央部の弛みを規制する規制部材３７が設けられている。この規制部材３７は前記保持部３２内の長手方向中央部における係止部３２ｂと保持材３８の両脚部３８ｂとの間に介設され、芯材２９の長手方向中央部が網体７の引張方向Ｘに撓まないように芯材２９の中央部を網体７の引張方向Ｘとは逆の方向に押え付けて規制している。本実施によっても、前記実施例と同様の効果が得られる。
【００３０】
以上、本発明の実施の形態を図面により詳述してきたが、本発明は前記実施の形態に限定されるものではなく、本発明の要旨を逸脱しない範囲での種々の設計変更等が可能である。例えば、本発明は、引違い窓だけでなく、片引き窓、縦辷り窓、障子が上下方向に開閉自在に設けられた上げ下げ窓等にも適用することが可能である。また、ロール式網戸は横引きタイプだけでなく、縦引きタイプであっても良い。更に、前記実施の形態ではロール式網戸を２つ用いて両開き式に構成した例が示されているが、片引き式に構成したものであっても良い。また、ロール式網戸の収納部や案内部は、サッシ枠の枠体に一体形成ないし一体に設けられていても良い。
【００３１】
開口部装置１としては、例えば図９に示すようにサッシとは別体で、ロール式網戸６のみからなっていても良い。この図示例では、建物の躯体の開口に縦辷り窓が設けられると共にこの縦辷り窓よりも室内側に額縁５０が設けられ、この額縁５０に縦辷り窓とは別体でロール式網戸６が設けられている。このロール式網戸は網体を上方の収納部から下方に引き出して網戸を示す縦引きタイプになっている。なお、前記実施例と均等な部分は、同一符号を付して説明を省略する。
【００３２】
【発明の効果】
以上要するに本発明によれば、次のような効果を奏することができる。
【００３３】
（１）請求項１の発明によれば、ロール式網戸からなる開口部装置であって、前記ロール式網戸は、網体を巻取って収納する収納部と、網体の先端部を保持し網体を収納部から引き出し入れして網戸の開閉を行う可動框と、該可動框の両端部を摺動自在に案内する案内部とを有し、前記網体の先端部に抜け止め材を設け、前記可動框に前記抜け止め材を撓み可能に直接又は間接的に保持する保持部を設けると共に、抜け止め材の中央部の弛みを規制する規制部材を設けているため、ロール式網戸を閉めたときに網体の中央部に弛みが発生するのを防止することができる。
【００３４】
（２）請求項２の発明によれば、建物の開口に設けられる枠体と、該枠体内に開閉自在に設けられた障子と、前記枠体に設けられるロール式網戸とを備え、前記ロール式網戸は、網体を巻取って収納する収納部と、網体の先端部を保持し網体を収納部から引き出し入れして網戸の開閉を行う可動框と、該可動框の両端部を摺動自在に案内する案内部とを有し、前記網体の先端部に抜け止め材を設け、前記可動框に前記抜け止め材を撓み可能に直接又は間接的に保持する保持部を設けると共に、抜け止め材の中央部の弛みを規制する規制部材を設けているため、ロール式網戸を閉めたときに網体の中央部に弛みが発生するのを防止することができる。
【図面の簡単な説明】
【図１】本発明の実施の形態を示す開口部装置の縦断面図である。
【図２】同開口部装置の横断面図である。
【図３】ロール式網戸の使用状態を示す横断面図である。
【図４】網体を概略的に示す図で、（ａ）は正面図、（ｂ）は（ａ）のＡ−Ａ線断面図、（ｃ）は（ａ）のＢ−Ｂ線断面図である。
【図５】可動框の一例を示す斜視図である。
【図６】可動框における網体の保持構造を示す図で、（ａ）は概略的正面図、（ｂ）は（ａ）のＣ−Ｃ線断面図、（ｃ）は（ａ）のＤ−Ｄ線断面図である。
【図７】可動框における網体の保持構造を示す図で、（ａ）は両端部の断面図、（ｂ）は中央部の断面図である。
【図８】可動框における網体の保持構造を示す図で、（ａ）は両端部の断面図、（ｂ）は中央部の断面図である。
【図９】本発明の他の実施の形態を示す開口部装置の縦断面図である。
【符号の説明】
１　開口部装置
２　枠体
３ａ，３ｂ　障子
６　ロール式網戸
７　網体
８　収納部
９　可動框
１０　案内部
２９　芯材（抜け止め材）
３２　保持部
３７　規制部材
【図１】
2004092059.tif 000003
【図２】
2004092059.tif 000004
【図３】
2004092059.tif 000005
【図４】
2004092059.tif 000006
【図５】
2004092059.tif 000007
【図６】
2004092059.tif 000008
【図７】
2004092059.tif 000009
【図８】
2004092059.tif 000010
【図９】
2004092059.tif 000011